(57)【要約】      （修正有）【課題】使用が便利なだけでなく、安定した挟持効果を有し、地面と垂直を保つことができる管楽器スタンドを提供する。【解決手段】管楽器スタンドは、底座２と挟持ユニットと、からなる。底座２は、前支承架２１、および、前支承架頂部から後に延伸する後支承架２２、からなる。挟持ユニットは、前支承架頂部に設置される棒４１と、それぞれ、棒の相反端に設置される二挟持素子４２、および、それぞれ、挟持素子４２と棒４１の間に設置される二ねじればね、からなる。挟持素子は、棒に相対し、展開位置と挟持位置間で旋転する。挟持素子が展開位置にある時は互いに離れ、挟持素子が挟持位置にある時は互いに接近して、楽器のネックを挟む。挟持素子により楽器のネックを挟持して、楽器を安定して固定することができる。【選択図】図２
0003150314.tif 000002
【実用新案登録請求の範囲】
【請求項１】
管楽器スタンドは、楽器の放置に適用し、底座と挟持ユニットと、からなり、
前記底座は、前支承架、および、前記前支承架頂部から後に延伸し、直立状態である後支承架、からなり、
前記挟持ユニットは、前支承架頂部に設置される棒と、それぞれ、前記棒の相反端に設置される二挟持素子、および、それぞれ、前記挟持素子と棒の間に設置される二ねじればね、からなり、前記楽器のネックは前記挟持素子の間に放置され、前記挟持素子は前記棒に相対し、展開位置と挟持位置間で旋転し、
前記挟持素子が展開位置にある時は互いに離れ、前記挟持素子が挟持位置にある時は互いに接近して、前記楽器のネックを挟み、前記ねじればねが弾性回復力を提供して、前記展開位置に回復することを特徴とする管楽器スタンド。
【請求項２】
更に、搭載ユニットを有し、前記搭載ユニットは前記後支承架上で、且つ、前記管楽器スタンドの底部に設置されることを特徴とする請求項１に記載の管楽器スタンド。  
【請求項３】
前記前支承架は、本体、及び、旋転可能な方式で、前記本体底部から外に延伸する二前脚、および、それぞれ、前記前脚表面に形成される二装着孔、からなり、前記前脚の末端は地面に沿っていることを特徴とする請求項１に記載の管楽器スタンド。
【請求項４】
更に、前記装着孔に装着される挿入素子を有し、前記挿入素子は、前記前脚から上に延伸する挿入棒、および、可動で前記挿入棒に設置される錐形座、からなることを特徴とする請求項３に記載の管楽器スタンド。
【請求項５】
前記挿入素子は、更に、可動で前記挿入棒に設置され、前記錐形座下方に抵接する解除装置を有し、前記解除装置は、可動で前記挿入棒に設置される固定座、および、前記固定座表面に設置され、固定位置と可動位置の間で旋転する旋転素子、からなり、前記固定座は、表面に形成される開孔を有し、前記旋転素子は、表面に形成され、前記開孔を通過する凸ブロックを有し、前記旋転素子が前記固定位置にある時、前記凸ブロックは前記開孔を通過して前記挿入棒を緊迫させ、前記旋転素子が可動位置にある時、前記凸ブロックは前記挿入棒を緊迫させないことを特徴とする請求項４に記載の管楽器スタンド。
【請求項６】
前記搭載ユニットは、旋転可能な方式で、前記後支承架と枢接する搭載素子、および、前記搭載素子上に装着される二搭載棒、からなり、前記楽器の底部は前記搭載棒の間に設置されることを特徴とする請求項２に記載の管楽器スタンド。  
【請求項７】
前記後支承架は、前記前支承架頂部から後向けに延伸し、前記前支承架に相対して直立状態である二後脚を有し、前記搭載ユニットは、旋転可能で互いに枢接し、且つ、それぞれ、前記後脚と枢接する搭載素子、および、それぞれ、前記搭載素子上に装着される二搭載棒、からなり、前記楽器の底部は前記搭載棒の間に設置されることを特徴とする請求項２に記載の管楽器スタンド。
【請求項８】
前記の各挟持素子は、底部から下向けに延伸し、一空間を定義する二つの相対する延伸壁、及び、前記延伸壁末端に設置される停止片を有し、前記棒の相反端は、それぞれ、前記空間中に穿設され、前記ねじればねは、それぞれ、前記挟持素子の底面と連接する鎖固点、前記延伸壁の内側面と抵接する抵接面、および、前記抵接面に相反し、前記棒と係合する係合面を有することを特徴とする請求項１に記載の管楽器スタンド。  
【考案の詳細な説明】
【技術分野】
【０００１】
本考案は、管楽器スタンドに関するものであって、特に、特に、管楽器を放置する管楽器スタンドに関するものである。
【背景技術】
【０００２】
図１で示されるように、公知の管楽器スタンド１はサックスフォンとクラリネット（共に図示しない）の放置に適用し、支承架１１、底座１２、挿入素子１３、二搭載棒１４、および、受け棒１５、からなる。
底座１２は、支承架１１底部から地面に向かって延伸し、起立状態になる三つの脚架１２１を有する。挿入素子１３はクラリネットを放置するためのもので、脚架１２１上に設置される挿入棒１３１、及び、挿入棒１３１上に設置される錐形座１３２からなる。クラリネットが挿入棒１３１に挿置された後、クラリネットの開口は錐形座１３２表面に近接する。受け棒１５は、支承架１１頂部に設置されると共に、サックスフォンのネック部分を放置することができる。搭載棒１４は、支承架１１上、且つ、受け棒１５と底座１２間に位置し、サックスフォンの底部を支える。
しかし、サックスフォンを管楽器スタンド１上に放置する時、サックスフォンのネック部は単に受け棒１５上に寄りかかった状態で、固定力が不足であり、振動や不注意で落ちる可能性がある。また、挿入棒１３１は脚架１２１の一つに設置されるので、クラリネットが挿入棒１３１に挿置された後、地面との垂直状態が維持しにくく、不安定であり、使用上不便である。また、脚架１２１は地面に対し平坦に設置されていないので、安定性が不足する。
【考案の概要】
【考案が解決しようとする課題】
【０００３】
本考案は、上述の問題を解決するため、使用が便利なだけでなく、安定した挟持功能を有し、地面と垂直を保つことができる管楽器スタンドを提供することを目的とする。
【課題を解決するための手段】
【０００４】
本考案の管楽器スタンドは、底座と挟持ユニットと、からなる。底座は、前支承架、および、前支承架頂部から後に延伸する後支承架、からなる。挟持ユニットは、前支承架頂部に設置される棒と、それぞれ、棒の相反端に設置される二挟持素子、および、それぞれ、挟持素子と棒の間に設置される二ねじればね、からなる。挟持素子は、棒に相対し、展開位置と挟持位置間で旋転する。挟持素子が展開位置にある時は互いに離れ、挟持素子が挟持位置にある時は互いに接近して、楽器のネックを挟む。挟持素子により楽器のネックを挟持して、楽器を安定して固定することができる。
【考案の効果】
【０００５】
本考案は、公知の管楽器スタンドの楽器を固定する安定度の不足問題を改善し、挟持素子により楽器のネックを挟持して、楽器をしっかりと固定することができる。
【図面の簡単な説明】
【０００６】
【図１】公知の管楽器スタンドの立体組み合わせ図である。
【図２】本考案の第一実施例による立体組み合わせ図で、サックスフォンを放置した状態を示す図である。
【図３】本考案の第一実施例による挟持素子が展開位置にあることを説明する図である。
【図４】本考案の第一実施例による挟持素子が挟持位置にあることを説明する図である。
【図５】本考案の第一実施例による挟持素子が展開位置にあることを説明する図である。
【図６】本考案の第一実施例による挟持素子が挟持位置にあることを説明する図である。
【図７】本考案の第一実施例による局部立体組み合わせ図である。
【図８】本考案の第一実施例による立体組み合わせ図で、第一実施例を収合状態に収合することを説明する図である。
【図９】本考案の第二実施例による立体組み合わせ図である。
【図１０】本考案の第二実施例によるもう一つの立体組み合わせ図で、第二実施例を収合状態に収合することを説明する図である。
【図１１】本考案の第三実施例による立体図で、サックスフォンを放置し、且つ、第一挿入素子と第二挿入素子を装着していない状態を説明する図である。
【図１２】本考案の第三実施例によるもう一つの立体組み合わせ図で、挿入素子が装着済みで、且つ、サックスフォンと二クラリネットを放置した状態を説明する図である。
【図１３】本考案の第三実施例による挿入素子が装着済みで、且つ、サックスフォンとクラリネットを放置した状態を説明する図である。
【図１４】本考案の第三実施例による第一挿入素子の組成を説明する図である。
【図１５】本考案の第三実施例による第二挿入素子の組成を説明する図である。
【図１６】本考案の第三実施例による局部断面図で、解除装置の内部構造、および、旋転素子が固定位置にある状態を説明する図である。
【図１７】本考案の第三実施例によるもう一つの局部断面図で、解除装置の内部構造、および、旋転素子が可動位置にある状態を説明する図である。
【考案を実施するための形態】
【０００７】
以下、添付図面を参照して本考案の実施の形態を詳細に説明する。
【実施例１】
【０００８】
図２〜図４は、本考案の第一実施例を示す図で、サックスフォン１００の放置に適用し、底座２、搭載ユニット３、及び、挟持ユニット４、からなる。注意すべきことは、本実施例はサックスフォン１００の放置に適用しているが、その他の楽器の放置にも使用できることである。
【０００９】
底座２は、前支承架２１、及び、旋転可能な方式で、前支承架２１頂部から後方に延伸し、前支承架２１と起立状態である後支承架２２、からなる。前支承架２１は、本体２１１、及び、旋転可能な方式で、本体２１１底部から外に延伸する二前脚２１２、からなる。後支承架２２は、本体２１１頂部から後方に延伸し、前脚２１２に対し起立状態をなす二後脚２２１を有する。
【００１０】
搭載ユニット３は、後支承架２２上、且つ、サックスフォン１００の底部に近接するように設置され、旋転可能な方式で互いに枢接され、且つ、それぞれ、後脚２１１と枢接する二搭載素子３１、及び、それぞれ、搭載素子３１上に装着される二搭載棒３２、からなる。サックスフォン１００の底部は、搭載棒３２の間に近接して設置される。
【００１１】
挟持ユニット４は、旋転可能な方式で、前支承架２１頂端に設置される棒４１、それぞれ、棒４１の相反する端に設置される二挟持素子４２、及び、挟持素子４２と棒４１間に設置される二ねじればね４３、からなる。サックスフォン１００のネックは挟持素子４２の間に放置される。挟持素子４２は、それぞれ、相隣する側に形成される弧形面を有し、サックスフォン１００の円柱形のネックの形状に適合する。
【００１２】
挟持素子４２は、棒４１に相対して、展開位置と挟持位置の間で旋転する。挟持素子４２が展開位置にある時は離れていて、この時、サックスフォン１００のネックは挟持素子４２の間に放置され、挟持素子４２はサックスフォン１００の重量を受けて、内方向に挟持位置に旋転する。挟持素子４２が挟持位置に位置する時は互いに接近し、サックスフォン１００のネックを挟持している。
【００１３】
また、各挟持素子４２は、底部から下向けに延伸し、且つ、一空間４２０を定義する二つの相対する延伸壁４２１、及び、延伸壁４２１末端に設置される停止片４２２を有する。棒４１の相反端は、それぞれ、空間４２０中に穿設され、且つ、停止片４２２により空間４２０内で制限される。
【００１４】
ねじればね４３は、それぞれ、挟持素子４２の底面と連接する鎖固点４３１、延伸壁４２１の内側面と抵接する抵接点４３２、および、抵接点４３２に相反し、棒４１と係合する係合端４３３、からなる。挟持素子４２が挟持位置にある時、抵接端４３２と係合端４３３は圧力を受けて接近し、この時、ねじればね４３は弾性回復力を提供して、抵接端４３２と係合端４３３を離し、挟持素子４２を展開位置に回復させる。よって、サックスフォン１００は本実施例中から取り出された後、挟持素子４２がねじればね４３の弾性回復力を受けて、展開位置に回復して、次の使用に備える。
【００１５】
図５と図６のように、挟持素子４２が展開位置にある時、離れていて、且つ、互いの間の距離はDである。挟持素子４２が挟持位置にある時は互いに近接し、互いの間の距離はｄである。距離Dは距離ｄより大きい。
【００１６】
注意すべきことは、図７のように、前支承架２１は更に、本体２１１底部に設置され、前脚２１２を調整した後、前脚２１２を旋転させて締める旋転ボタン２１３を有することである。旋転ボタン２１３を旋転させて締めた後、前脚２１２は更に安定して地面上に立ち、外力の影響を受けて動いたり、傾斜したりしにくい。旋転ボタン２１３は旋転して開くと、前脚２１２が自由に旋転する。
【００１７】
図８のように、まず、挟持素子４を後に旋転させ、前脚２１２を内に引き、後脚２２１を内に畳むと同時に、搭載素子３１を搭載素子３１の枢接点に対し内に折り、搭載素子３１と後脚２２１の枢接点を互いに接近させると、収合状態にすることができ、空間を占有を減少させ、携帯に便利になる。
【実施例２】
【００１８】
図９は本考案の第二実施例を示す図で、第一実施例との差異は、搭載ユニット３が、旋転可能な型式で、後脚２２１と枢接する搭載素子３１、および、搭載素子３１上に装着される二搭載棒３２を有することである。搭載素子３１は、末端に形成され、もう一つの後脚２２１上に設置されるリベット２００と係合する開口３１１を有する。
【００１９】
図１０のように、まず、挟持素子４を後に旋転させ、搭載ユニット３を搭載ユニット３と一後脚２２１の枢接点に相対して上に引き、その後、前脚２１２を内に畳み、後脚２２１を内に畳むと、収合状態になって、空間の占有を減少させることができる。
【実施例３】
【００２０】
図１１〜図１３は、本考案の第三実施例を示す図で、第二実施例との差異は、前支承架２１が、更に、それぞれ、前脚２１２表面に形成される二装着孔２１４を有することである。別の実施例は、更に、装着孔２１４に装着され、且つ、二クラリネット３００を放置する第一、第二挿入素子５、６を有する。本実施例中、第一、第二挿入素子５、６は、クラリネット３００を放置するのに用いられているが、その他の楽器を放置することもできる。
【００２１】
図１２、図１４、および、図１５のように、第一挿入素子５は、前脚２１２から上向けに延伸し、クラリネット３００を挿置する挿入棒５１、表面に複数の軟質パッド５００を有し、且つ、移動可能な方式で挿入棒５１に設置される第一錐形座５２、および、移動可能な方式で挿入棒５１に設置され、第一錐形座５２下方に抵接する解除装置５３、を有する。クラリネット３００の開口は第一錐形座５２表面に近接して設置される。
【００２２】
解除装置５３は、移動可能な方式で、第一挿入棒５１に設置される固定座５３１、および、固定座５３１表面に設置され、固定位置と可動位置の間で旋転する旋転素子５３２からなる。
【００２３】
第二挿入素子６は、もう一つの前脚２１２から上向けに延伸し、もう一つのクラリネット３００を挿入する第二装置棒６１、表面に複数の軟質パッド６００を有し、第二挿入棒６１と第二錐形座６２間に設置される補強片６３を有する。別のクラリネット３００の開口は、第二錐形座６２表面に近接する。
【００２４】
また、前脚２１２の末端は地面に沿っているので、挿入素子５、６は地面と垂直を保ち、使用上、公知のように、放置時に傾斜して不安定になることがない。本実施例中、第一挿入素子５と第二挿入素子６の数量はそれぞれ一つであるが、二個の第一、第二挿入素子５、６でもよく、これに制限されない。
【００２５】
図１６、図１７のように、固定座５３１は表面に形成される開孔５３３を有する。旋転素子５３２は、表面に形成され、開孔５３３内を通過する凸ブロック５３４を有する。旋転素子５３２が固定位置に旋転するとき、凸ブロック５３４は開孔５３３を通過して、内に第一挿入棒５１を緊迫させ、固定座５３１が第一挿入棒５１に対し上下移動できなくなる。旋転素子５３２が可動位置まで動くと、凸ブロック５３４は第一挿入棒５１を内に緊迫させず、固定座５３１は第一挿入棒５１に対し上下移動することができる。
【００２６】
上述を総合すると、挟持素子４２がサックスフォン１００のネックを挟持し、安定して、サックスフォン１００を固定し、公知のような振動や不注意で楽器が倒れたり、落ちたりする状況の発生を防止する。また、取りたい時、直接、サックスフォン１００を上向けに持ち上げれば、挟持素子４２はねじればね４３の弾性回復力を受けて、展開位置に回復し、次の使用に備える。
【００２７】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【００２８】
１００      サックスフォン
２００      リベット
２          底座
２１        前支承架
２１１      本体
２１２      前脚
２１３      旋転ボタン
２１４      装着孔
２２        後支承架
２２１      後脚
３００      クラリネット
３          搭載ユニット
３１        搭載素子
３１１      開口
３２        搭載棒
４          挟持素子
４１        棒
４２        挟持素子
４２０      空間
４２１      延伸壁
４２２      停止片
４３        ねじればね
４３１      鎖固点
４３２      抵接端
４３３      係合端
５００      軟質パッド
５          第一挿入素子
５１        第一挿入棒
５２        第一錐形座
５３        解除裝置
５３１      固定座
５３２      旋転素子
５３３      開孔
５３４      凸ブロック
６００      軟質パッド
６          第二挿入素子
６１        第二挿入棒
６２        第二錐形座
６３        補強片
【図１】
0003150314.tif 000003
【図２】
0003150314.tif 000004
【図３】
0003150314.tif 000005
【図４】
0003150314.tif 000006
【図５】
0003150314.tif 000007
【図６】
0003150314.tif 000008
【図７】
0003150314.tif 000009
【図８】
0003150314.tif 000010
【図９】
0003150314.tif 000011
【図１０】
0003150314.tif 000012
【図１１】
0003150314.tif 000013
【図１２】
0003150314.tif 000014
【図１３】
0003150314.tif 000015
【図１４】
0003150314.tif 000016
【図１５】
0003150314.tif 000017
【図１６】
0003150314.tif 000018
【図１７】
0003150314.tif 000019